(57)【特許請求の範囲】
【請求項１】
（ａ）アルカリ水溶液中で過酸化水素と反応し、有機過酸を生成する過酸前駆体及び
（ｂ）下記一般式（１）：
【化１】
0004021028.tif 000009
[式中、Ｒ１は、水酸基で置換されていてもよい直鎖又は分岐鎖の炭素数１〜５０のアルキル基、アシル基、アリール基、アルケニル基、アルコキシル基又は炭素数１〜８のアルキル基で置換されていてもよいフェニル基もしくはベンジル基を示し；Ｒ２は、水酸基で置換されていてもよく、炭素環で中断されていてもよい直鎖又は分岐鎖の炭素数１〜８のアルキレン基を示し；Ｒ３、Ｒ４は、同一でも異なっていてもよく、水酸基で置換されていてもよい直鎖又は分岐鎖の炭素数１〜１８のアルキル基、アシル基、アリール基、アルケニル基もしくはアルコキシル基、炭素数１〜８のアルキル基で置換されていてもよいフェニル基、炭素数１〜８のアルキル基で置換されていてもよいベンジル基又は平均付加モル数１〜５０の炭素数１〜４のアルキレンオキシド基を示し、Ｒ３、Ｒ４がアルキレンオキシド基のとき、付加されるアルキレン基は同一でも異なっていてもよく、配列も任意であり；Ｒ５は、水酸基で置換されていてもよく、炭素環で中断されていてもよい直鎖又は分岐鎖の炭素数１〜８のアルキレン基を示し；ｐは、０又は１以上の整数を示し；Ｘ−はスルホ基又はカルボキシル基を示す。]
で表されるベタイン型両性界面活性剤を含有することを特徴とする過酸前駆体水性組成物であり、
前記（ａ）成分の過酸前駆体が、次の一般式（２）：
Ｒ６−Ｃ（＝Ｏ）−Ｌ      （２）
[式中、Ｒ６は、下記一般式（３）：
【化２】
0004021028.tif 000010
（式中、Ｒ７は、水素原子、炭素数１〜１８の直鎖又は分岐鎖のアルキル基、アルケニル基、アシル基を示し；Ｒ８は、炭素数１〜８の直鎖又は分岐鎖のアルキレン基を示し；ｑは、０又は１を示し；Ｒ９は、炭素数１〜８の直鎖もしくは分岐鎖のアルキレン基又は炭素数１〜５の直鎖もしくは分岐鎖のアルキル基で置換されていてもよいフェニレン基を示し；Ａは、炭素数１〜４の直鎖又は分岐鎖のアルキレン基を示し；ｎは、アルキレンオキシドの平均付加モル数で、０〜１００の数を示し、ｎ個のＡは同一でも異なっていてもよい）で表される基を示し；Ｌは、下記一般式（４）又は（５）：
【化３】
0004021028.tif 000011
（式中、Ｍは、水素原子又はアルカリ金属原子を示す）
で表される基を示す。]
で表されるものである過酸前駆体水性組成物。
【請求項２】
請求項１記載の過酸前駆体水性組成物と、（ｃ）過酸化水素又は水溶液中で過酸化水素を生成する成分が、非接触状態で保持されていることを特徴とする硬質体用漂白剤組成物。
【請求項３】
請求項１記載の過酸前駆体水性組成物と、（ｃ）過酸化水素又は水溶液中で過酸化水素を生成する成分を含有することを特徴とする硬質体用漂白剤組成物。
【発明の詳細な説明】
【０００１】
【発明の属する技術分野】
本発明は、水溶液中における過酸前駆体の安定性を高め、かつ有機過酸生成反応時における反応性も高い過酸前駆体水性組成物に関する。また、本発明は、優れた漂白性能を有し、特にカビ取り剤として好適な硬質体用漂白剤組成物に関する。
【０００２】
【従来の技術及び発明が解決しようとする課題】
過酸前駆体は、漂白性能を向上させるため、漂白剤の配合成分として広く用いられている。しかし、過酸前駆体を水溶液として保持した場合には、水溶液中で過酸前駆体が加水分解されるため、時間の経過とともに過酸前駆体濃度が低下してしまう。また、この加水分解を防止するために保存安定化剤を添加すると、アルカリ水溶液中において過酸前駆体を過酸化水素と反応させた場合の反応性が必ずしも充分ではなかった。
【０００３】
本発明は、水溶液中における過酸前駆体の安定性を高めるとともに、有機過酸生成時における反応性を損なわず、充分な漂白性能を確保することができる過酸前駆体水性組成物を提供することを目的とする。また、本発明は、優れた漂白性能を有し、特にカビ取り剤として好適な硬質体用漂白剤組成物を提供することを他の目的とする。
【０００４】
【課題を解決するための手段】
本発明者らは、特定のベタイン型両性界面活性剤が水溶液中における過酸前駆体の分解を抑制するとともに、有機過酸生成時の反応性を損なわないことを見出し、本発明を完成した。
【０００５】
即ち本発明は、（ａ）アルカリ水溶液中で過酸化水素と反応し、有機過酸を生成する過酸前駆体及び
（ｂ）下記一般式（１）：
【０００６】
【化４】
0004021028.tif 000002
【０００７】
[式中、Ｒ1は、水酸基で置換されていてもよい直鎖又は分岐鎖の炭素数１〜５０のアルキル基、アシル基、アリール基、アルケニル基、アルコキシル基又は炭素数１〜８のアルキル基で置換されていてもよいフェニル基もしくはベンジル基を示し；Ｒ2は、水酸基で置換されていてもよく、炭素環で中断されていてもよい直鎖又は分岐鎖の炭素数１〜８のアルキレン基を示し；Ｒ3、Ｒ4は、同一でも異なっていてもよく、水酸基で置換されていてもよい直鎖又は分岐鎖の炭素数１〜１８のアルキル基、アシル基、アリール基、アルケニル基もしくはアルコキシル基、炭素数１〜８のアルキル基で置換されていてもよいフェニル基、炭素数１〜８のアルキル基で置換されていてもよいベンジル基又は平均付加モル数１〜５０の炭素数１〜４のアルキレンオキシド基を示し、Ｒ3、Ｒ4がアルキレンオキシド基のとき、付加されるアルキレン基は同一でも異なっていてもよく、配列も任意であり；Ｒ5は、水酸基で置換されていてもよく、炭素環で中断されていてもよい直鎖又は分岐鎖の炭素数１〜８のアルキレン基を示し；ｐは、０又は１以上の整数を示し；Ｘ-はスルホ基又はカルボキシル基を示す。]
で表されるベタイン型両性界面活性剤を含有することを特徴とする過酸前駆体水性組成物を提供するものである。
【０００８】
また本発明は、上記の過酸前駆体水性組成物と、（ｃ）過酸化水素又は水溶液中で過酸化水素を生成する成分を含有することを特徴とする硬質体用漂白剤組成物を提供するものである。
【０００９】
なお、本発明において、「水性組成物」とは、過酸前駆体を含む水溶液又は過酸前駆体を含む分散液を意味するものである。
【００１０】
【発明の実施の形態】
本発明の過酸前駆体水性組成物で用いる（ａ）成分の過酸前駆体は、水溶液中で過酸化水素と反応し、有機過酸を形成するものであれば特に限定されるものではない。（ａ）成分の過酸前駆体としては、例えば、一般式（２）：
Ｒ6−Ｃ（＝Ｏ）−Ｌ    （２）
[式中、Ｒ6は、直鎖又は分岐鎖の炭素数４〜１８のアルキル基、アリール基、アルケニル基、アシル基又は下記一般式（３）：
【００１１】
【化５】
0004021028.tif 000003
【００１２】
（式中、Ｒ7は、水素原子、炭素数１〜１８の直鎖又は分岐鎖のアルキル基、アルケニル基、アシル基を示し；Ｒ8は、炭素数１〜８の直鎖又は分岐鎖のアルキレン基を示し；ｑは、０又は１を示し；Ｒ9は、炭素数１〜８の直鎖もしくは分岐鎖のアルキレン基又は炭素数１〜５の直鎖もしくは分岐鎖のアルキル基で置換されていてもよいフェニレン基を示し；Ａは、炭素数１〜４の直鎖又は分岐鎖のアルキレン基を示し；ｎは、アルキレンオキシドの平均付加モル数で、０〜１００の数を示し、ｎ個のＡは同一でも異なっていてもよい）で表される基を示し；Ｌは、下記一般式（４）、（５）、（６）又は（７）：
【００１３】
【化６】
0004021028.tif 000004
【００１４】
（式中、Ｍは、水素原子又はアルカリ金属原子を示し；Ｒ10及びＲ11は、炭素数１〜８の直鎖又は分岐鎖のアルキレン基を示す）
で表される基を示す。]
で表されるものを挙げることができる。
【００１５】
（ａ）成分の過酸前駆体を表す一般式（２）において、Ｒ6が一般式（３）で表される基であり、Ｌが一般式（４）、一般式（５）、一般式（６）又は一般式（７）で表される基の組み合わせであるものが好ましい。これらの中でも、Ｒ6が一般式（３）で表される基で、Ｌが一般式（６）で表される基であるものが特に好ましい。
【００１６】
本発明の過酸前駆体水性組成物で用いる（ｂ）成分のベタイン型両性界面活性剤は、下記一般式（１）：
【００１７】
【化７】
0004021028.tif 000005
【００１８】
[式中、Ｒ1は、水酸基で置換されていてもよい直鎖又は分岐鎖の炭素数１〜５０、好ましくは１〜２３のアルキル基、アシル基、アリール基、アルケニル基、アルコキシル基又は炭素数１〜８のアルキル基で置換されていてもよいフェニル基もしくはベンジル基を示し；Ｒ2は、水酸基で置換され、炭素環で中断されていてもよい直鎖又は分岐鎖の炭素数１〜８のアルキレン基を示し；Ｒ3、Ｒ4は、同一でも異なっていてもよく、水酸基で置換されていてもよい直鎖又は分岐鎖の炭素数１〜１８、好ましくは１〜５のアルキル基、アシル基、アリール基、アルケニル基、アルコキシル基、炭素数１〜８のアルキル基で置換されていてもよいフェニル基、炭素数１〜８のアルキル基で置換されていてもよいベンジル基又は平均付加モル数１〜５０の炭素数１〜４のアルキレンオキシド基を示し、Ｒ3、Ｒ4がアルキレンオキシド基のとき、付加されるアルキレン基は同一でも異なっていてもよく、配列も任意であり；Ｒ5は、水酸基で置換され、炭素環で中断されていてもよい直鎖又は分岐鎖の炭素数１〜８のアルキレン基を示し；ｐは、０又は１以上の整数を示し；Ｘ-はスルホ基又はカルボキシル基を示す。]
で表されるものである。
【００１９】
一般式（１）で表されるベタイン型両性界面活性剤としては、Ｎ−ラウリル−Ｎ，Ｎ−ジメチル（２−ヒドロキシプロピル）スルホベタイン、Ｎ−ステアリル−Ｎ，Ｎ−ジメチルカルボキシベタイン、Ｎ−ラウリル−Ｎ，Ｎ−ジヒドロキシエチルカルボキシベタイン、Ｎ−ラウロイルアミドプロピル−Ｎ，Ｎ−ジメチルカルボキシベタイン等を挙げることができる。
【００２０】
過酸前駆体水性組成物中における（ａ）及び（ｂ）成分の含有量は、（ａ）成分の安定性を高め、有機過酸生成時における反応性を高めるため、過酸前駆体水性組成物中において、（ａ）成分が好ましくは０．０１〜６０重量％、特に好ましくは０．１〜４０重量％であり、（ｂ）成分が好ましくは０．０１〜６０重量％、特に好ましくは０．１〜４０重量％である。また、過酸前駆体水性組成物において（ａ）及び（ｂ）成分以外の成分を配合する場合、（ａ）及び（ｂ）成分の合計含有量は、好ましくは８０重量％以下であり、特に好ましくは６０重量％以下である。
【００２１】
本発明の過酸前駆体水性組成物には、漂白洗浄力を向上させるため、さらに界面活性剤を配合することができる。界面活性剤としては、脂肪酸塩、アルキル硫酸塩、アルキルベンゼンスルホン酸塩、ポリオキシエチレンアルキル硫酸エステル塩、スルホコハク酸ジエステル塩、アルキルジフェニルエーテルジスルホン酸塩、アルカンスルホン酸塩、アルキルリン酸エステル塩、α−オレフィン硫酸エステル塩、α−オレフィンスルホン酸塩等の陰イオン界面活性剤；ポリオキシエチレンアルキルエーテル、ソルビタン脂肪酸エステル、ポリオキシエチレンソルビタン脂肪酸エステル、ポリオキシエチレン脂肪酸エステル、脂肪酸モノグリセリド、アルキルグリコシド等の非イオン界面活性剤；モノアルキルトリメチルアンモニウム塩、ジアルキルジメチルアンモニウム塩、トリアルキルメチルアンモニウム塩、テトラアルキルアンモニウム塩、アルキルベンジルジメチルアンモニウム塩等の陽イオン界面活性剤；アルキルジメチルアミンオキシド、アルキルアミドプロピルジメチルアミンオキシド、ラウリルアミノプロピオン酸ナトリウム、イミダゾリニウムベタイン等の両性界面活性剤等から選ばれる１種以上を挙げることができる。界面活性剤の配合量は、過酸前駆体水性組成物中において、好ましくは０．０１〜３０重量％であり、特に好ましくは０．０５〜２０重量％である。
【００２２】
本発明の過酸前駆体水性組成物には、漂白洗浄力及び保存安定性を向上させるため、さらに水溶性溶剤を配合することができる。水溶性溶剤としては、エタノール、プロパノール、プロピレングリコール、プロピレングリコールモノメチルエーテル、プロピレングリコールモノブチルエーテル、ブチルジグリコール、フェノキシエタノール、フェノールにアルキレンオキシドを付加した化合物、Ｎ−アルキルピロリドン、３−メトキシ−３−メチル−１−ブタノール、イソプレングリコール等から選ばれる１種以上を挙げることができる。水溶性溶剤の配合量は、過酸前駆体水性組成物中において、好ましくは０．０１〜４０重量％であり、特に好ましくは０．１〜３０重量％である。
【００２３】
本発明の過酸前駆体水性組成物には、ｐＨを調整維持し、過酸前駆体の分解を抑制するため、さらに有機酸を配合することができる。有機酸としては、クエン酸、コハク酸、リンゴ酸、フマル酸、酒石酸、マロン酸、トリメリット酸、ピロメリット酸等から選ばれる１種以上を挙げることができる。有機酸の配合量は、過酸前駆体水性組成物中において、好ましくは０．０１〜３０重量％である。
【００２４】
本発明の過酸前駆体水性組成物には、漂白性能を向上し、過酸前駆体の分解を抑制するため、さらにキレート剤を配合することができる。キレート剤としては、特開平８−２０９１９４号公報７頁カラム１２の９〜２０行に記載のものから選ばれる１種以上を挙げることができ、具体的には、トリポリリン酸、ピロリン酸、オルソリン酸、ヘキサメタリン酸及びそれらのアルカリ金属塩、エチレンジアミン四酢酸、ヒドロキシイミノ二酢酸、ジヒドロキシエチルグリシン、ニトリロ三酢酸、ヒドロキシエチレンジアミン三酢酸、ジエチレントリアミン五酢酸、トリエチレンテトラミン六酢酸及びそれらのアルカリ金属塩又はアルカリ土類金属塩、アミノトリメチレンホスホン酸、１−ヒドロキシエチリデン−１，１−ジホスホン酸、エチレンジアミンテトラメチレンホスホン酸、ジエチレントリアミンペンタメチレンホスホン酸、アミノトリメチレンホスホン酸のＮ−オキシド及びそれらのアルカリ金属塩又はアルカリ土類金属塩、ポリα−ヒドロキシアクリル酸及びそのアルカリ金属塩等を挙げることができる。キレート剤の配合量は、過酸前駆体水性組成物中において、好ましくは０．０００１〜１０重量％であり、特に好ましくは０．００１〜５重量％である。
【００２５】
本発明の過酸前駆体水性組成物には、被処理物に漂白成分を付着させることにより漂白性能を向上させるため、さらに水溶性高分子を配合することができる。水溶性高分子としては、例えば、下記の特開平８−２０９１９４号公報６頁カラム１０の２０行〜７頁カラム１１の３行に記載のものから選ばれる１種以上を挙げることができ、これらの中でも下記の(i)〜(iv)が好ましい。
【００２６】
(i)グアーガム、ローカストビーンガム、カラギーナン、アルギン酸、アラビアガム、ペクチン等の植物由来の天然高分子；
(ii)キサンタンガム等の微生物由来の天然高分子；
(iii)セルロース、デンプン、セルロース又はデンプンを、酸化、メチル化、カルボキシメチル化、ヒドロキシエチル化、ヒドロキシプロピル化、カチオン化等の処理により加工したセルロース誘導体又はデンプン誘導体；
(iv)ポリアクリル酸ホモポリマー又はアクリル酸と共重合可能なモノマーとのコポリマーであるポリアクリル酸誘導体、前記のポリアクリル酸ホモポリマー又はポリアクリル酸誘導体を架橋したもの。
【００２７】
水溶性高分子の配合量は、過酸前駆体水性組成物中において、好ましくは０．００１〜１０重量％であり、特に好ましくは０．０１〜５重量％である。
【００２８】
本発明の過酸前駆体水性組成物には、さらに他の成分、例えば、香料、抗菌剤、過酸安定剤、ｐＨ調整剤、顔料、染料、懸濁剤を配合することができる。
【００２９】
本発明の過酸前駆体水性組成物は、過酸前駆体の分解を抑制するため、保存時におけるｐＨが、好ましくは１〜９であり、特に好ましくは１．５〜８である。
【００３０】
本発明の硬質体用漂白剤組成物は、上記の過酸前駆体水性組成物に、さらに（ｃ）成分として、過酸化水素又は水溶液中で過酸化水素を生成する成分を配合したものである。ここで「硬質体」とは、平面的であるか又は立体的であるかを問わず、一定の形状を保持しているものを意味するものであり、洗浄漂白処理ができるものであれば、硬さの程度は限定されるものではない。この硬質体としては、プラスチック、ゴム、金属、タイル、レンガ、コンクリート、セメント、ガラス、木等からなる床、階段、壁等の固定物のほか、それらからなる各種器械、器具、道具、家具、食器等の人が接触するもの全般を挙げることができる。よって、硬質体用漂白剤組成物は、カビとり剤、床用洗浄漂白剤、食器用洗浄漂白剤、台所用洗浄漂白剤、台所用つけ置き洗浄漂白剤、浴室用洗浄漂白剤、全自動洗濯機洗濯槽の洗浄漂白剤、排水パイプの洗浄漂白剤、台所や洗面所の小物の洗浄漂白剤等として適用することができ、これらの用途の中でも特にカビ取り剤として好適である。
【００３１】
（ｃ）成分のうち水溶液中で過酸化水素を生成する成分としては、過炭酸ナトリウム、トリポリリン酸ナトリウム・過酸化水素付加物、ピロリン酸ナトリウム・過酸化水素付加物、尿素・過酸化水素付加物、硫酸ナトリウム・過酸化水素付加物、過ホウ酸ナトリウム一水和物、過ホウ酸ナトリウム四水和物、過ケイ酸ナトリウム、過酸化ナトリウム、過酸化カルシウム等を挙げることができる。（ｃ）成分としては、過酸化水素のほか、過炭酸ナトリウム、過ホウ酸ナトリウム一水和物、過ホウ酸ナトリウム四水和物が好ましい。
【００３２】
（ｃ）成分の配合量は、充分な漂白性能を付与し、経済性を考慮すると、硬質体用漂白組成物中において、過酸化水素濃度で０．０１〜３０重量％となることが好ましく、過酸化水素濃度で０．１〜２０重量％となることが特に好ましい。
【００３３】
本発明の硬質体用漂白剤組成物は、使用時におけるｐＨを７〜１３に調整することが好ましく、８〜１３に調整することが特に好ましい。前記範囲内にｐＨを維持するためのｐＨ調整剤としては、水酸化ナトリウム、水酸化カリウム等のアルカリ金属の水酸化物、水酸化アンモニウム、モノ、ジ又はトリエタノールアミン等のアミン誘導体、炭酸ナトリウム、炭酸カリウム等のアルカリ金属の炭酸塩、炭酸アンモニウム等の炭酸塩、ケイ酸ナトリウム、ケイ酸カリウム等のアルカリ金属のケイ酸塩、ケイ酸アンモニウム等のケイ酸塩等を挙げることができる。
【００３４】
また、本発明の硬質体用漂白剤組成物を使用する際には、トリガースプレー等の吐出容器、スクイズ容器等により噴霧又は散布する方法、紙や布等に含浸させ、湿布する方法、刷毛やローラー等により塗布する方法等を適用することができる。ここでトリガースプレー等の吐出容器を用いる場合には、硬質体に対する付着性を増強し、漂白性能を高めるため、トルエンスルホン酸、キシレンスルホン酸、クメンスルホン酸、アルケニルコハク酸、ラウリル硫酸又はそれらのアルカリ金属塩等の起泡助剤から選ばれる１種又は２種以上を配合することができる。起泡助剤の配合量は、硬質体用漂白剤組成物中において、好ましくは０．０１〜２０重量％であり、特に好ましくは０．０５〜１０重量％である。
【００３５】
また、本発明の硬質体用漂白剤組成物は、上記の過酸前駆体水性組成物と、（ｃ）成分としての過酸化水素又は水溶液中で過酸化水素を生成する成分とを、非接触状態で保っておき、使用時において混合するものである。この場合の非接触状態に保持する方法は特に限定されるものではなく、例えば、下記の分包型のような剤型にすることができるが、それらの中でも使用時の簡便性から２剤型が好ましい。また、使用時において、さらに水又は温水を加えることもできる。
【００３６】
▲１▼過酸前駆体水性組成物と（ｃ）成分を別々に分包し、任意成分はいずれか一方又は両方の包装に混合した２剤型；
▲２▼過酸前駆体水性組成物、（ｃ）成分及び任意成分を別々に分包した３剤型；▲３▼過酸前駆体水性組成物と（ｃ）成分を別々に分包し、任意成分の一部をいずれか一方又は両方の包装に混合し、残部を別に分包した３剤型。
【００３７】
分包の方法は特に限定されるものではなく、ボトルや小袋を適宜組み合わせて包装することができる。ボトルや小袋の材質としては、一般に漂白洗浄剤用の容器に使用されるポリエチレン、ポリプロピレン、ポリアミド、ポリエチレンテレフタレート、ポリ塩化ビニリデン、ナイロン等を挙げることができる。また、これらのプラスチックには、必要に応じて、顔料、帯電防止剤、遮光剤、紫外線吸収剤を配合することができる。ボトルや小袋は、樹脂層を重ねたり、さらにアルミニウム層を設けたりした多層構造にすることができ、シリカ、アルミニウム、アルミナ等を蒸着したものを用いることができる。また、ピンホール、逆止弁等のガス抜き手段、他の容器に移し替える場合のストロー状の注ぎ手段、さらに直接ボトルにトリガー等の吐出容器を取り付けることができる。
【００３８】
分包型の硬質体用漂白剤組成物における（ｃ）成分の配合量は、充分な漂白性能を付与し、経済性を考慮すると、組成物中において、好ましくは０．０１〜３０重量％であり、特に好ましくは０．１〜２０重量％である。また、分包型の硬質体用漂白剤組成物の使用時におけるｐＨは、７〜１３に調整することが好ましく、８〜１３に調整することが特に好ましい。
【００３９】
【実施例】
以下、実施例により本発明をさらに詳しく説明するが、本発明はこれらにより限定されるものではない。
【００４０】
製造例１
１００ｇの水に、３５％亜硫酸水素ナトリウム水溶液３６６ｇ（１．２３mol）と４％水酸化ナトリウム水溶液１０ｇを加え、５５℃まで昇温した。そこに１１４ｇ（１．２３mol）のエピクロルヒドリンを３０分かけて滴下した。約８０℃に保ちながら１時間熟成させたのち、さらに２１３ｇ（１mol）のＮ−ラウリル−Ｎ，Ｎ−ジメチルアミンを２時間かけて滴下し、９０℃で１時間熟成させた。その後、さらに４％水酸化ナトリウム水溶液２００ｇ（０．２mol）を２時間かけて滴下したのち、１００℃で１時間熟成させ、Ｎ−ラウリル−Ｎ，Ｎ−ジメチル（２−ヒドロキシプロピル）スルホベタイン（両性界面活性剤１）を得た。
【００４１】
製造例２
１００ｇの水に、２８５ｇ（１mol）のＮ−ステアリル−Ｎ，Ｎ−ジメチルアミンと、３３５ｇ（１．１５mol）の４０％モノクロロ酢酸ナトリウムを加え、８０℃に昇温した。３０分間熟成させたのち、水酸化ナトリウム水溶液でｐＨを１２前後に保ちながら、さらに３時間熟成させ、Ｎ−ステアリル−Ｎ，Ｎ−ジメチルカルボキシベタイン（両性界面活性剤２）を得た。
【００４２】
製造例３、４
上記製造例１、２に準じて、Ｎ−ラウリル−Ｎ，Ｎ−ジヒドロキシエチルカルボキシベタイン（両性界面活性剤３）及びＮ−ラウロイルアミドプロピル−Ｎ，Ｎ−ジメチルカルボキシベタイン（両性界面活性剤４）を得た。
【００４３】
参考例１〜７、実施例１〜２、比較例１〜７
表１に示す組成の過酸前駆体水性組成物（水溶液）を製造した。（ａ）成分として、下記の化合物１〜７を用い、（ｂ）成分として、上記した製造例により得た両性界面活性剤１〜４を用いた。
化合物１：オクタノイルオキシベンゼンスルホン酸ナトリウム
化合物２：ドデカノイルオキシベンゼンスルホン酸ナトリウム
化合物３：ヘキサノイルオキシベンゼンカルボン酸
【００４４】
【化８】
0004021028.tif 000006
【００４５】
なお、各過酸前駆体水性組成物とも硫酸又は炭酸ナトリウムでｐＨを５に調整した。これらの組成物における過酸前駆体の安定性について下記の方法により試験した。結果を表１に示す。なお、表１中の配合量は水を含めた全量に対するもので、重量％表示である。
（過酸前駆体の安定性）
過酸前駆体水性組成物を、４０℃の室内に１ヶ月放置した場合の過酸前駆体の残存率を測定した。過酸前駆体の残存率は、過酸前駆体水性組成物の酸価及びケン化価の測定によるエステル価により求めた。
【００４６】
【表１】
0004021028.tif 000007
【００４７】
表１から明らかなとおり、（ａ）成分と（ｂ）成分を組み合わせることにより、（ａ）成分の分解が抑制され安定性が向上された。
【００４８】
参考例８〜１２、実施例３〜４、比較例８
表２に示す成分のうち、（ａ）、（ｂ）及び任意成分を分包してＩ剤とし、（ｃ）成分と任意成分を分包してII剤とし、さらに一部の実施例については炭酸カリウムを分包してIII剤とし、２剤又は３剤型の硬質体用漂白剤組成物を得た。これらの組成物の漂白性能について、下記の方法により試験した。なお、Ｉ剤は密閉ポリプロピレン容器中に充填した状態で４０℃の部屋に１ヶ月放置したものを用いた。試験直前に、Ｉ剤及びII剤又はＩ剤、II剤及びIII剤を混合した。なお、実施例３〜４、参考例１１〜１２及び比較例８においては、水はＩ剤にのみ加え、Ｉ剤を水溶液とした。参考例８〜１０においては、Ｉ剤とII剤が同じ重量になるように水を加え、Ｉ剤及びII剤を水溶液とした。表２中の配合量は水を含めた全量に対するもので、重量％表示である。ディクエスト２０１０は、モンサント社製の１−ヒドロキシエチリデン−１，１−ジホスホン酸であり、ディクエスト２０１５ＤＮは、モンサント社製の１−ヒドロキシエチリデン−１，１−ジホスホン酸３ナトリウムである。結果を表２に示す。
【００４９】
（漂白性能の試験方法）
クラドスポリウム・ヘルバルム（Cladosporium herbarum）を接種し、３０℃で１４日間培養したプラスチック板（ＡＢＳ樹脂製）をモデルプレートとして用意した。別々に分包しておいた各組成物のＩ剤、II剤又はIII剤を使用直前に混合した（混合時のｐＨは１０〜１１）。この組成物溶液４０μｌをモデルプレート上に滴下し、１５分放置後、水洗し風乾した。その後、日本電気工業株式会社製の測色計１００１ＤＰを用いて明度（Ｌ値）を測定した。なお、プラスチック板の元々のＬ値は９２．４であり、モデルプレートのＬ値は６５〜７５であった。よって、Ｌ値が高いほど、カビの除去率が高い、即ち、漂白性能が高いことを示している。
【００５０】
【表２】
0004021028.tif 000008
【００５１】
表２から明らかなとおり、実施例の組成物は、（ａ）成分の分解が抑制されたため、（ａ）成分と（ｃ）成分の作用により、充分な漂白性能が発揮された。比較例８は、実施例に比べると（ａ）成分の分解率が高かったため、充分な漂白性能が得られなかった。
【００５２】
【発明の効果】
本発明の過酸前駆体水性組成物は、（ｂ）成分のベタイン型界面活性剤の作用により、（ａ）成分の過酸前駆体の分解が抑制されるとともに、有機過酸生成時における反応性も損なわれない。このため、この過酸前駆体水性組成物と（ｃ）成分とを含む硬質体用漂白剤組成物は、（ａ）成分の過酸前駆体の作用が充分に発揮されるため、高い漂白性能を維持することができる。